(57)【要約】      （修正有）【課題】  術者が把持するハウジングに駆動部から伝わる振動を減少し、回転工具又は振動工具の横振れを防止し、また、駆動伝達機構に歯車を用いているハンドピースでは歯車の噛み合い不良を防止し、操作性に優れた医科歯科用ハンドピースを提供する。【解決手段】  医科歯科用ハンドピース１０において、ハンドピースの先端に取り付けた工具８４に動力を伝達する駆動部７４と術者がハンドピースを把持する外周部との間に制振合金からなる中央支持リング４２と前方支持リング４４を介在する。【選択図】図１
2005253849.tif 000002
【特許請求の範囲】
【請求項１】
医科歯科用ハンドピースにおいて、ハンドピースの先端に取り付けた工具に動力を伝達する駆動部と術者がハンドピースを把持する外周部との間に制振合金からなる部材を介在したことを特徴とする医科歯科用ハンドピース。
【請求項２】
医科歯科用ハンドピースにおいて、ハンドピースの先端に取り付けた工具に動力を伝達する駆動部と上記駆動部を収容するハウジングとの間に制振合金からなる部材を介在したことを特徴とする医科歯科用ハンドピース。
【請求項３】
医科歯科用ハンドピースにおいて、ハンドピースの先端に取り付けた工具に動力を伝達する駆動伝達部を制振合金で形成したことを特徴とする医科歯科用ハンドピース。
【請求項４】
医科歯科用ハンドピースにおいて、ハンドピースの先端に取り付けた工具に動力を伝達する駆動伝達部の支持部材を制振合金で形成したことを特徴とする医科歯科用ハンドピース。
【請求項５】
医科歯科用ハンドピースにおいて、術者が把持するハウジングの一部又は全部を制振合金で形成したことを特徴とする医科歯科用ハンドピース。
【発明の詳細な説明】
【技術分野】
【０００１】
本発明は、医科歯科用ハンドピースに関する。
【背景技術】
【０００２】
医療装置又は治療装置の一つとして、回転工具又は振動工具などの医療用工具を備えた医科歯科用ハンドピースが提供されている。この種のハンドピースは、術者が把持する外部ハウジングに伝わる振動を軽減するために、振動発生源とハウジングとの間にゴム材料からなる振動吸収部材を配置していた。
【特許文献１】特開２００２−１１３０１９号公報
【発明の開示】
【発明が解決しようとする課題】
【０００３】
しかしながら、ゴム材料は剛性が低いため、回転工具又は振動工具の軸振れが発生し、ハンドピースの操作性が低下するという問題、また、駆動伝達機構に歯車を用いているハンドピースでは歯車の噛み合い不良を生じるという問題があった。
【課題を解決するための手段】
【０００４】
そこで、本発明は、ゴム材料よりも剛性が高く、振動絶縁性に優れた制振部材を、ハンドピースに用いたもので、第１の形態の発明に係る医科歯科用ハンドピースは、ハンドピースの先端に取り付けた工具に動力を伝達する駆動部と術者がハンドピースを把持する外周部との間に制振合金からなる部材を介在したことを特徴とする。
【０００５】
本発明の第２の形態の医科歯科用ハンドピースは、ハンドピースの先端に取り付けた工具に動力伝達する駆動部と上記駆動部を収容するハウジングとの間に制振合金からなる部材を介在したことを特徴とする。
【０００６】
本発明の第３の形態の医科歯科用ハンドピースは、ハンドピースの先端に取り付けた工具に動力を伝達する駆動伝達部を制振合金で形成したことを特徴とする。
【０００７】
本発明の第４の形態の医科歯科用ハンドピースは、ハンドピースの先端に取り付けた工具に動力を伝達する駆動伝達部の支持部材を制振合金で形成したことを特徴とする。
【０００８】
医科歯科用ハンドピースにおいて、術者が把持するハウジングの一部又は全部を制振合金で形成したことを特徴とする。
【発明の効果】
【０００９】
このように構成した本発明の医科歯科用ハンドピースによれば、工具に動力を伝達する駆動部と術者がハンドピースを把持する外周部との間に介在する部材（形態１）、また工具に動力伝達する駆動部と駆動部を収容するハウジングとの間に介在する部材（形態２）を制振合金で形成している。また、工具に動力を伝達する駆動伝達部を制振合金で形成し（形態３）、工具に動力を伝達する駆動伝達部の支持部材を制振合金で形成している（形態４）。したがって、駆動部又は駆動伝達部若しくは支持部材からハウジングや工具に伝わる振動がそれらの間に介在する制振合金によって減衰される。その結果、安定したハンドピースの操作性が得られる。また、駆動系に歯車を用いたものでは、歯車の安定した噛み合いが得られ、工具の目的の治療部位に確実に当てることができる。
【発明を実施するための最良の形態】
【００１０】
実施の形態１：
図１は実施の形態１に係る医科歯科用ハンドピース１０の一つであるエアスケーラを示す。ハンドピース１０の外形は、術者が手に持って操作できる大きさを有する円筒形の外部ハウジング１２で構成されている。図示する実施の形態において、外部ハウジング１２は、中心軸１４に沿って配置された円筒状の複数の外部ハウジング部分、すなわち、図面左側の前方外部ハウジング部分１６と、図面右側の後方外部ハウジング部分２０で構成されている。これら複数の外部ハウジング部分１６，２０は中心軸１４に沿って連結して構成されている。隣接する外部ハウジング部分を相互に連結する手段は任意に選択可能であるが、実施の形態では、前方外部ハウジング部分１６と後方外部ハウジング部分２０は両者の対向端部に一体的に形成した外ねじ２２と内ねじ２４を螺合して連結されている。
【００１１】
外部ハウジング１２の内側には、これと同軸に内部ハウジング３２が収容されている。内部ハウジング３２は、複数の内部ハウジング部分を接続して構成するのが好ましい。図示する実施の形態において、内部ハウジング３２は、３つの筒状内部ハウジング部分、すなわち、前方外部ハウジング部分１６の前端近傍からほぼその中央部に伸びる前方内部ハウジング部分３４と、前方外部ハウジング部分１６のほぼ中央部から後方外部ハウジング部分２０の前端近傍に伸びる中央内部ハウジング部分３６と、後方外部ハウジング部分２０の前端近傍から後端近傍に伸びる後方内部ハウジング部分３８を連結して構成されている。
【００１２】
後方内部ハウジング部分３８の外周部には外ねじ部材２６が保持されており、例えば、この外ねじ部材２６により外部ハウジング１２に位置決めされている。中央内部ハウジング部分３６は、その外周部に装着された中央支持リング４２を介して外部ハウジング１２に固定されている。前方内部ハウジング部分３４は、後端部が中央内部ハウジング部分３６の前端部に外装され、前端部がその外周面と外部ハウジング１２の内周面との間に介在された前方支持リング４４によって支持されて保持されている。支持リング４２，４４は、制振合金で構成されている。制振合金としては、Ｃｕ：２０±５％、Ｎｉ：５±３％、Ｆｅ：２±１％を含有するマンガン基の制振合金が好適に用いられる。また、支持リングは、マンガン基制振合金の鋳造後、または加工後に７００〜１１００℃で焼鈍し、除冷されたものを材料として使用するのが好ましい。
【００１３】
後方内部ハウジング部分３８には、中心軸１４に沿って後端から円筒状の挿入孔４６が形成されており、この挿入孔４６に給気・給水用アダプタ（図示せず）が挿入されて接続できるようにしてある。挿入孔４６の前端開口部は、封止ブロック４８とその周囲に装着された封止部材５０によって封止されている。給気・給水用アダプタから供給される空気と水を前方に移送するために給気通路５２と給水通路５４がそれぞれ形成されている。
【００１４】
中央内部ハウジング部分３６は、後方内部ハウジング部分３８の給気通路５２と給水通路５４から供給される空気と水を更に前方に移送するために、給気通路５６と給水通路５８が形成されている。後方内部ハウジング部分３８の給気通路５２及び給水通路５４と中央内部ハウジング部分３６の給気通路５６及び給水通路５８を接続するために、実施の形態では、後方内部ハウジング部分３８の前端と中央内部ハウジング部分３６の後端との間に、給気連結管６０と給水連結管６２が保持されている。
【００１５】
前方内部ハウジング部分３４と中央内部ハウジング部分３６の内側には、中心軸１４に沿って円筒体６４が配置されている。円筒体６４は、その内部と外部を連結する複数の空気流出孔６６が形成されており、外周部に装着した複数のゴム製リング６８，７０によって、前方内部ハウジング部分３４と中央内部ハウジング部分３６に保持されている。円筒体６４のほぼ中央部断面には、内周面と外周面を貫通する複数の空気噴出孔７２が周方向に所定の間隔をあけて形成されており、この空気噴出孔７２の外側に振動発生用円筒体７４が回転自在に外装されている。振動発生用円筒体７４は、空気噴出孔７２から噴出する空気によって振動するように、その内径が円筒体６４の外径よりも僅かに大きくしてある。振動発生用円筒体７４を空気噴出孔７２の周囲に保持するため、円筒体６４の周囲には振動発生用円筒体７４の前後に２つの規制部材７６が配置されている。実施の形態では、規制部材７６はゴム製リングで構成されている。
【００１６】
円筒体６４の内側にはさらに、中心軸１４に沿って給水管７８が配置されている。給水管７８の前部は円筒体６４に内部に保持されている支持筒８０に挿入されて保持されている。給水管７８の後部は、中央内部ハウジング部分３６の給水通路５８の前端部に連結管８２を介して接続されている。一方、円筒体６４の内部は、その後端開口部を介して中央内部ハウジング３２の給気通路５６に接続されている。
【００１７】
円筒体６４の前端部には、工具（器具）８４が着脱自在に取り付けてある。工具８４は、中空部材からなり、中心軸に沿って形成された内部の給水通路８６が、円筒体６４の前端部に接続されている。
【００１８】
このような構成を備えたハンドピース１０によれば、給気・給水アダプタから供給された空気は、後方内部ハウジング部分３８の給気通路５２、後方内部ハウジング部分３８と中央内部ハウジング部分３６の間の給気連結管６０、中央内部ハウジング部分３６の給気通路５６、円筒体６４の内部に供給された後、この円筒体６４の空気噴出孔７２から前方内部ハウジング部分３４の空気流出孔６６を介して、内部ハウジング３２と外部ハウジング１２の間の空間８８に流出する。空間８８の空気は、支持リング４２と外部ハウジング１２及び内部ハウジング３２の隙間を通って更に後方に送られ、図示しない空気流出孔から外気に放出される。一方、給気・給水アダプタから供給された水は、後方内部ハウジング部分３８の給水通路５４、後方内部ハウジング部分３８と中央内部ハウジング部分３６の間の給水連結管６２、中央内部ハウジング部分３６の給水通路５８、前方内部ハウジング部分３４の内側に配置された給水管７８を介して、工具８４の給水通路８６に供給された後、この工具の先端注水孔（図示せず）から外部に噴射される。
【００１９】
上述のように、円筒体６４とその外周に回転自在に装着された振動発生用円筒体（駆動部）７４との間には隙間が存在する。したがって、空気噴出孔７２から噴出した空気の流れよって振動発生用円筒体７４が、中心軸１４の回りを旋回しながら回転し、その回転周波数に応じた振動数の振動を円筒体６４に発生させる。この振動は、円筒体６４から工具８４に送られ、歯石除去等の効率を高める。また、振動は、円筒体６４の前端部と後端部を支持しているゴム製リング６８，７０を介して前方内部ハウジング部分３４と中央内部ハウジング部分３６に伝わる。前方内部ハウジング部分３４と中央内部ハウジング部分３６の振動はさらに、それぞれを支持している支持リング４２，４４を介して外部ハウジング１２に伝わる。しかし、振動はゴム製リング６８，７０で一次減衰し、次に制振合金の支持リング４２，４４で二次減衰する。したがって、外部ハウジング１２に伝わる振動は殆ど無いか又は有っても極僅かである。また、実施の形態では、ゴムに比べると遥かに剛性の高い制振合金を採用しているため、工具８４を支持している円筒体６４の軸振れが少なく、そのため工具８４の先端部を目的の位置に安定的に保持できる。
【００２０】
なお、以上の説明では、前方内部ハウジング部分３４と中央内部ハウジング部分３６を支持している支持リング４２，４４を制振合金で形成したが、内部ハウジング３２と外部ハウジング１２との間に介在する他の支持部材又は支持リング４２，４４を含む全ての支持部材を制振合金で形成してもよいし、内部ハウジング３２を構成する複数の内部ハウジング部分又はそれらの全てを制振合金で形成してもよいし、術者が把持する外部ハウジング１２の一部又は全体を制振合金で形成してもよい。
【００２１】
実施の形態２：
図２は実施の形態２に係る医科歯科用ハンドピース１００の一つであるタービンを示す。ハンドピース１００は、術者が把持する把持部１０２と、回転工具１０４を有する駆動部１０６からなる。把持部１０２は、円筒状のハウジング１０８を有する。ハウジング１０８は、後部に給気・給水アダプタ（図示せず）を収容するソケット１１０を収容している。ハウジング１０８の内部には、給気・給水アダプタから供給された空気を前部駆動部１０６に供給する給気管１１２と、前部駆動部１０６から排出された空気を後方に排出するための排気空間１１４と、給気・給水アダプタから供給された水を駆動部１０６の注水口１１５から噴射するための給水管１１６が収容されている。給気管１１２の後端給気口と給水管１１６の後端給水口は、ソケット１１０の対応する箇所に接続されており、ソケット１１０に装着された給気・給水アダプタから空気と水がそれぞれ供給されるようになっている。排気空間１１４の後端側はソケット１１０に保持されており、ソケット１１０の排気管より排出される。
【００２２】
駆動部１０６は、図３に示すように、ハウジング接続部１２０と、これに一体的に接続されたロータ保持部１２２からなる。ロータ保持部１２２は、上下両端を開放した椀型の筒状外部ケーシング１２４を有する。外部ケーシング１２４の内部には、筒状の下部ケーシング１２６と上部ケーシング１３４が装着されている。下部ケーシング１２６及び上部ケーシング１３４は、ロータ保持部１２２の中央部に配置されるロータ１３０を回転自在に支持する軸受１３２，１３６を保持している。軸受１３２，１３６と下部ケーシング１２６及び上部ケーシング１３４との間には、実施の形態１で説明した制振合金からなる制振リング１３８，１４０が介在されており、これにより軸受１３２，１３６から下部ケーシング１２６及び上部ケーシング１３４に伝わる振動を減少するようにしてある。
【００２３】
実施の形態において、下部軸受１３２と上部軸受１３６は、共に玉軸受を採用しており、それぞれ外輪と、内輪と、それらの間に保持された多数の玉で構成されている。
【００２４】
また、実施の形態において、軸受１３２，１３６を直接受ける下部ケーシング１２６と上部ケーシング１３４は、実施の形態１で説明した制振合金で形成されている。
【００２５】
下部軸受１３２と上部軸受１３６の間には、回転羽根１５４が配置されており、この回転羽根１５４はロータ１３０に固定されている。
【００２６】
ロータ保持部１２２の上部開口部は、キャップ又は蓋１５６によって閉鎖されている。この蓋１５６は、上部ケーシング１３４に外装された固定リング１５８に下端縁部を係合して保持されており、ばね１６０の付勢力によって図示する上昇位置に保持されている。
【００２７】
ハウジング接続部１２０は、ハウジング１０８の先端部に挿入できる大きさの軸部１６２を有する。軸部１６２は、その後端面から外部ケーシング１２４の内周面に伸びる給気通路１６４と排気通路１６６が形成されている。給気通路１６４の後端開口は給気管１１２の先端が接続されている。給気通路１６４の前端開口は、下部ケーシング１２６に形成された空気導入孔１６８を介して回転羽根１５４の上部外周部に対向している。排気通路１６６の後端開口は排気空間１１４に開放されている。排気通路１６６の前端開口は、下部ケーシング１２６に形成された空気排出孔１７０を介して回転羽根１５４の下部外周部に対向している。
【００２８】
このような構成を備えたハンドピース１００によれば、給気・給水アダプタから供給された空気は、給気管１１２から給気通路１６４を介して空気導入孔１６８から回転羽根１５４の上部外周部に噴射され、この回転羽根１５４を所定の方向に回転する。また、回転羽根１５４の回転はロータ１３０及びロータ１３０に保持された工具１０４を回転する。回転羽根１５４に当たった空気は、空気排出孔１７０から排気通路１６０を介して排気空間１１４からハウジング１０８の内部空間１１６に排出された後、図示しない排気孔を介して外部に排出される。一方、給気・給水アダプタから供給された水は、給水管１１６を介して工具の先端近傍に噴射される。
【００２９】
回転羽根１５４及びロータ１３０の回転によって発生する振動は軸受１３２，１３６を介して下部ハウジング１０８と軸受支持リング１３４に伝わるが、軸受１３２，１３６と下部ハウジング１０８と軸受支持リング１３４の間には制振合金の制振リング１３８，１４０が介在しているため、ハンドピース１００の把持部１０２に伝わる振動は殆ど無いか又は有っても極僅かである。また、制振合金はゴムなどの弾性材料に比べて剛性が高いため、回転工具１０４の軸振れが少ない。そのため、術者は回転工具１０４の先端を目的の治療部位に安定的に当てることができる。
【００３０】
なお、本実施の形態では、上述のように、軸受１３２，１３６を支持する下部ハウジング１０８と軸受支持リング１３４の間に制振合金の制振リング１３８，１４０を配置したが、軸受１３２，１３６を構成している部品、すなわち外輪、内輪、玉の少なくともいずれかを制振合金で形成してもよいし、下部ハウジング１０８と軸受支持リング１３４を直接的又は間接的に支持している他の部材、例えば上部ハウジング１０８、外部ハウジング１０８、ロータ保持部１２２、ハウジング接続部１２０、更にはハウジング１０８の任意の部材も制振合金で形成することができる。この場合、ハンドピース１００を把持する術者の手に伝わる振動が更に減少する。また、図４に示すように、軸受１３２，１３６と下部ハウジング１０８及び軸受支持リング１３４との間には、制振リングに代えて、ゴム製のＯリング１７２，１７４を配置してもよい。
【００３１】
実施の形態３：
図５は実施の形態３に係る医科歯科用のコントラアングル型ハンドピース（ハンドピース前部）２１０を示す。ハンドピース２１０のハウジング２１２は、「く」の字状に屈曲した円筒体からなる。実施の形態において、ハウジング２１２は複数の筒体を組み合わせて構成するのが好ましい。
【００３２】
屈曲部の後方にある後部ハウジング部分２１４の内部には、後部に筒状の駆動連結用ソケット２１６が固定され、前部に制振合金からなる筒状の軸受支持部材２１８が、同軸上に固定されている。軸受支持部材２１８は、前部と後部に第１の軸受２２０，２２２を保持しており、これらの第１の軸受２２０，２２２に第１の駆動伝達軸２２４が回転自在に保持されている。第１の駆動伝達軸２２４は前端部に第１の傘歯車２２６が固定されており、後端部に制振合金からなる前部クラッチ２２８が固定されている。
【００３３】
屈曲部の前方にある前部ハウジング部分２３０の内側には、制振合金からなる軸受支持筒２３２が固定されている。軸受支持筒２３２は、前部と後部に第２の軸受２３４，２３６を保持しており、これらの第２の軸受２３４，２３６に第２の駆動伝達軸２３８が回転自在に保持されている。第２の駆動伝達軸２３８は、後端部と前端部にそれぞれ第２の傘歯車２４０と第３の傘歯車２４２が固定されており、第２の傘歯車２４０が第１の傘歯車２２６に噛み合っている。また、ハウジング２１２の内部には、後述する動力供給アダプタ（ハンドピース後部）２４４（図６参照）から供給された水を前部ハウジング部分２３０の前端下部に形成されている注水口２４６に案内して噴射するための給水管２４８が収容されている。
【００３４】
前部ハウジング部分２３０の前端には、工具保持部２５０が着脱自在に設けてある。工具保持部２５０は、上部と下部を開放した椀型の外部ケーシング２５２を有し、この外部ケーシング２５２の内側に制振合金からなる内部ケーシング２５４が装着されている。内部ケーシング２５４の内側には、２つのロータ軸受２５６，２５８が配置されており、これらのロータ軸受２５６，２５８にロータ２６０が回転自在に支持されている。ロータ２６０は、上部のロータ軸受２５６との間に第４の傘歯車２６２が固定されており、この第４の傘歯車２６２が第３の傘歯車２４２に噛み合っている。また、外部ケーシング２５２の上部開口が蓋２６４で塞がれ、下部開口を通じて挿入された工具２６６がロータ２６０に保持されるようになっている。また、図示しないが、後部に筒状の駆動連結ソケット２１６が固定される医科歯科用ストレートハンドピースにおいても、実施の形態３と同様の構成を用いてもよい。
【００３５】
図６に示す動力供給アダプタ２４４は、円筒状のアダプタハウジング２６８を有する。アダプタハウジング２６８の前端には、ソケット２１６に着脱可能な挿入筒２７０が設けてある。また、アダプタハウジング２６８の内部には、モータ（駆動部）２７２が配置されている。モータ２７２は、前後のモータ軸受２７４，２７６に回転自在に支持された回転軸２７８を備えている。回転軸２７８の前端部には、上述の前部クラッチ２２８に係合可能な後部クラッチ２８０が固定されている。後部モータ軸受２７４，２７６は、制振合金からなるモータ軸受支持部材２８２，２８４を介してアダプタハウジング２６８に支持されている。なお、モータ２７２は、インナーロータ型モータ、アウターロータ型モータのいずれでもよい。例えば、インナーロータ型モータの場合、回転軸２７８に複数の永久磁石が固定され、この永久磁石を囲むようにアダプタハウジング２６８の内側に駆動コイルが固定される。アウターロータ型モータの場合、永久磁石とコイルの配置が逆である。また、モータは電気駆動式だけに限らず、エア駆動によるエアモータを用いてもよい。
【００３６】
また、アダプタハウジング２６８の内部には、モータ２７２に電流を供給する電線２８８と、前部の給水管２４８に対して水を供給するための給水通路２９０が形成されている。
【００３７】
このように構成されたハンドピース２１０において、動力供給アダプタ２４４はその前部挿入筒２７０をハンドピース２１０の後部ソケット２１６に挿入して連結される。このとき、モータ回転軸２７８の前端に設けた後部クラッチ２８０とハンドピース２１０の前部クラッチ２２８に駆動連結される。また、アダプタハウジング２６８の給水通路２９０がハンドピース２１０の給水管２４８に接続される。その結果、モータ２７２が駆動すると、回転軸２７８の回転は、クラッチ２２８，２８０、第１の駆動伝達軸２２４、第１と第２の傘歯車２２６、２４０、第２の駆動伝達軸２３８、第３と第４の傘歯車２４２、２６２を介してロータ２６０に伝達され、これによりロータ２６０とこれに保持された工具２６６が回転する。また、動力供給アダプタ２４４の給水通路２９０からハンドピース２１０の給水管２４８に供給された水は、ハンドピース前部の注水口２４６から工具２６６の先端に向けて噴射される。
【００３８】
また、このハンドピース２１０では、軸受を支持している複数の部材、すなわち軸受支持部材２１８、モータ軸受支持部材２８２，２８４、駆動力を伝達する前部クラッチ２２８、内部ケーシング２６４と、駆動伝達部材である前部クラッチ２２８が、上述した実施の形態１と同様の制振合金で形成されているため、回転軸２７８や駆動伝達軸２２４，２３８から外部ハウジング２１２に伝わる振動が減少する。また、ロータ２６０及び工具２６６の軸振れが減少する。
【００３９】
なお、本実施の形態では、軸受支持部材と一部の駆動伝達部材だけを制振合金で形成したが、回転軸から外部ハウジングとの間に存在する任意の部材（例えば、軸受を構成する部品やハウジング）を制振合金で形成してもよい。
【００４０】
また、上述した複数の実施形態では、ゴム製のＯリングなどを振動減衰用に用いているが、これら振動減衰用のゴム製リングに代えて制振合金を採用すれば、医科歯科用ハンドピースの全体又はその一部を滅菌処理することができるという利点がある。
【図面の簡単な説明】
【００４１】
【図１】実施の形態１に係る医科歯科用ハンドピースの部分断面図。
【図２】実施の形態２に係る医科歯科用ハンドピースの部分断面図。
【図３】実施の形態２に係る医科歯科用ハンドピースの前端部に設けた駆動部の拡大断面図。
【図４】実施の形態２に係る医科歯科用ハンドピースの前端部に設けた駆動部の他の形態の拡大断面図。
【図５】実施の形態３に係る医科歯科用ハンドピースの前部拡大断面図。
【図６】実施の形態３に係る医科歯科用ハンドピースの後部拡大断面図。
【符号の説明】
【００４２】
１０：医科歯科用ハンドピース（エアスケーラ）
１２：外部ハウジング
１４：中心軸
１６：前方外部ハウジング部分
２０：後方外部ハウジング部分
２２：外ねじ
２４：内ねじ
２６：外ねじ部材
３２：内部ハウジング
３４：前方内部ハウジング部分
３６：中央内部ハウジング部分
３８：後方内部ハウジング部分
４２：中央支持リング
４４：前方支持リング
４６：挿入孔
４８：封止ブロック
５０：封止部材
５２：給気通路
５４：給水通路
５６：給気通路
５８：給水通路
６０：給気連結管
６２：給水連結管
６４：円筒体
６６：空気流出孔
６８：ゴム製リング
７０：ゴム製リング
７２：空気噴出孔
７４：振動発生用円筒体
７６：規制部材
７８：給水管
８０：支持筒
８２：連結管
８４：工具
８６：給水通路
８８：空間
１００：ハンドピース
１０２：把持部
１０４：回転工具
１０６：駆動部 
１０８：ハウジング
１１０：ソケット
１１２：給気管
１１４：排気空間
１１５：注水口
１１６：給水管
１２０：ハウジング接続部
１２２：ロータ保持部
１２４：外部ケーシング
１２６：下部ケーシング
１３０：ロータ
１３２：下部軸受
１３４：上部ケーシング
１３６：上部軸受
１３８：制振リング
１４０：制振リング
１５４：回転羽根
１５６：蓋
１５８：固定リング
１６０：ばね
１６２：軸部
１６４：給気通路
１６６：排気通路
１６８：空気導入孔
１７０：空気排出孔
１７２：Ｏリング
１７４：Ｏリング
２１０：ハンドピース（ハンドピース前部）
２１２：ハウジング
２１４：後部ハウジング部分
２１６：ソケット
２１８：軸受支持部材
２２０：第１の軸受
２２２：第１の軸受
２２４：第１の駆動伝達軸
２２６：第１の傘歯車
２２８：前部クラッチ
２３０：前部ハウジング部分
２３２：軸受支持筒
２３４：第２の軸受
２３６：第２の軸受
２３８：第２の駆動伝達軸
２４０：第２の傘歯車
２４２：第３の傘歯車
２４４：動力供給アダプタ
２４６：注水口
２４８：給水管
２５０：工具保持部
２５２：外部ケーシング
２５４：内部ケーシング
２５６：ロータ軸受
２５８：ロータ軸受
２６０：ロータ
２６２：第４の傘歯車
２６４：蓋
２６６：工具
２６８：アダプタハウジング
２７０：挿入筒
２７２：モータ
２７４：モータ軸受
２７６：モータ軸受
２７８：回転軸
２８０：後部クラッチ
２８２：モータ軸受支持部材
２８４：モータ軸受支持部材
２８８：電線
２９０：給水通路
【図１】
2005253849.tif 000003
【図２】
2005253849.tif 000004
【図３】
2005253849.tif 000005
【図４】
2005253849.tif 000006
【図５】
2005253849.tif 000007
【図６】
2005253849.tif 000008